(57)【要約】【課題】申込書類が封筒底部に挟まることがなく、また封入物の一部が封筒内に挟まることを防止できる封筒部付き冊子状フォームを提供する。【解決手段】広告用紙と申込用紙と封筒部とを有する封筒用紙とが重ねられ、用紙の一端付近で接着一体化され、封筒用紙は矩形状に形成され、封筒用紙の所定部分に該封筒用紙と縦寸法が略同一で、幅寸法が該封筒用紙よりも狭い寸法を有する矩形状の封筒上紙が重ねられ、封筒上紙の裏面側の三辺縁部分においてコ字状に塗布された接着剤で接着されて封筒部が形成され、封筒部の開口部に沿って封筒用紙上に粘着剤層が設けられ、粘着剤層上に剥離紙が剥離可能に貼付され、粘着剤層が設けられた部分に沿って、封筒部の開口部と反対側の封筒用紙に切り取りミシンが形成され、封筒用紙と封筒上紙の間には、封筒部の封筒内の底部から開口部側に間隙をあけて、底部と平行に剥離可能な接着剤で接着した接着部が設けられている。【選択図】        図１
2010017921.tif 000002
【特許請求の範囲】
【請求項１】
商品情報が記載された広告用紙と、商品の申し込み情報を記入するための申込用紙と、前記申込用紙を封入して郵送するための封筒部を有する封筒用紙と、が重ねられ、それらの用紙の一端付近で接着一体化されてなる冊子状フォームであって、
前記封筒用紙は矩形状に形成され
前記封筒用紙の所定部分に、該封筒用紙と縦寸法が略同一で、幅寸法が該封筒用紙よりも狭い寸法を有する矩形状の封筒上紙が重ねられ、前記封筒上紙の裏面側の三辺縁部分においてコ字状に塗布された接着剤で接着されて封筒部が形成され、
前記封筒部の開口部に沿って、前記封筒用紙上に粘着剤層が設けられ、
前記粘着剤層上に剥離紙が剥離可能に貼付され、
前記粘着剤層が設けられた部分に沿って前記封筒部の開口部と反対側の前記封筒用紙に切り取りミシンが形成され、
前記封筒用紙と前記封筒上紙の間には、前記封筒部の封筒内の底部から開口部側に間隙をあけて、前記底部と平行に剥離可能な接着剤で接着した接着部が設けられていることを特徴とする冊子状フォーム。
【請求項２】
前記剥離可能な接着剤で接着した接着部が、ライン状またはスポット状に設けられていることを特徴とする請求項１記載の冊子状フォーム。
【請求項３】
前記封筒用紙と前記封筒上紙には、前記封筒部の封筒内の底部と、前記剥離可能な接着剤で接着した接着部との間に、それぞれ封筒部を開封するための切り取り線が設けられていることを特徴とする請求項１記載の冊子状フォーム。
【発明の詳細な説明】
【技術分野】
【０００１】
本発明は、商品情報が記載された広告用紙と、商品の申し込み情報を記入するための申込用紙と、前記申込用紙を封入して郵送するための封筒部を有する封筒用紙と、が重ねられ、それらの用紙の一端付近で接着一体化されてなる封筒部付き冊子状フォームに関する。
【背景技術】
【０００２】
従来、販売促進用のダイレクトメールや広告宣伝用の印刷物などとして、複数の用紙を重ね合わせ一辺側で綴じて一体化させた冊子が用いられ、種々の構成の冊子が提案されている。（例えば、特許文献１〜３参照）
また、データベースに登録されている個人情報を使用して、プリンタで個人情報を印字するとともに、予め印刷した共通の販売促進情報や、個々の顧客のニーズに応じて選択した販売促進情報を、プリンタで印字するなどした用紙を複数枚重ねた冊子状フォームも使用されている。
【０００３】
【特許文献１】特開平５−４２７８４号公報
【特許文献２】特開２００４−８２５８１号公報
【特許文献３】特開２００７−２８３５５９号公報
【０００４】
これらの冊子状フォームには、フォーム部に添付されている申込書類に必要事項を記入して、フォームの一部に設けられている封筒に申込書類を封入して郵送できるように封筒部を一部に設けた構成の封筒付きフォームも知られている。
このような封筒付きフォームでは、封筒部が２枚の用紙を接着剤で接着させて封筒部を作成していることから、封入した申込書類が封筒の底部を構成する２枚の用紙内に挟まりやすく、これにより封筒の受取人が封筒内の申込書類を取り出す際に、取り出しにくく、また、申込書類を複数入れた場合には、封入物の一部が封筒内に挟まっていることに気づかないまま、封筒を破棄してしまう危険性があるという問題がある。
【発明の開示】
【発明が解決しようとする課題】
【０００５】
そこで、本発明は、封筒部を有する冊子状フォームを用いて申込書類を封筒で郵送した場合でも、封入した申込書類が封筒の底部を構成する２枚の用紙内に挟まることがなく、また、封筒内に複数の書類を入れた場合でも、それらの封入物の一部が封筒内に挟まっていることに気づかないまま、封筒を破棄してしまうという事故を防止することができる封筒部付き冊子状フォームを提供する。
【課題を解決するための手段】
【０００６】
本発明の封筒部付き冊子状フォームは、商品情報が記載された広告用紙と、商品の申し込み情報を記入するための申込用紙と、前記申込用紙を封入して郵送するための封筒部を有する封筒用紙と、が重ねられ、それらの用紙の一端付近で接着一体化されてなる冊子状フォームであって、前記封筒用紙は矩形状に形成され、前記封筒用紙の所定部分に、該封筒用紙と縦寸法が略同一で、幅寸法が該封筒用紙よりも狭い寸法を有する矩形状の封筒上紙が重ねられ、前記封筒上紙の裏面側の三辺縁部分においてコ字状に塗布された接着剤で接着されて封筒部が形成され、前記封筒部の開口部に沿って、前記封筒用紙上に粘着剤層が設けられ、前記粘着剤層上に剥離紙が剥離可能に貼付され、前記粘着剤層が設けられた部分に沿って、前記封筒部の開口部と反対側の前記封筒用紙に切り取りミシンが形成され、前記封筒用紙と前記封筒上紙の間には、前記封筒部の封筒内の底部から開口部側に間隙をあけて、前記底部と平行に剥離可能な接着剤で接着した接着部が設けられていることを特徴とする。
【０００７】
また、本発明の封筒部付き冊子状フォームは、前記剥離可能な接着剤で接着した接着部が、ライン状またはスポット状に設けられていることを特徴とする。
【０００８】
更に、本発明の封筒部付き冊子状フォームは、前記封筒用紙と前記封筒上紙には、前記封筒部の封筒内の底部と、前記剥離可能な接着剤で接着した接着部との間に、それぞれ封筒部を開封するための切り取り線が設けられていることを特徴とする。
【発明の効果】
【０００９】
したがって、本発明の封筒部付き冊子状フォームは、封筒内の底部から開口部側に間隙をあけて、前記底部と平行に剥離可能な接着剤で接着した接着部が設けられているので、封入した申込書類が封筒の底部を構成する２枚の用紙内に挟まることがなく、また、封筒内に複数の書類を入れた場合でも、それらの封入物の一部が封筒内に挟まっていることに気づかないまま、封筒を破棄してしまうという事故を防止することができるという効果がある。
【００１０】
また、本発明の封筒部付き冊子状フォームは、封筒用紙と封筒上紙に、封筒部の封筒内の底部と、剥離可能な接着剤で接着した接着部との間にそれぞれ封筒部を開封するための切り取りミシンが形成されているので、その切り取りミシンから切り取ることで、封筒底部の接着部を簡単に切り取ることができ、剥離可能な接着剤で接着した接着部から封筒を開くことができ、封筒内に複数の書類が入っている場合でも、全ての書類をもれなく取り出すことができるという効果がある。
【発明を実施するための最良の形態】
【００１１】
以下、本発明の実施形態に係る封筒部付き冊子状フォームを図面に基づいて詳細に説明する。
図１は、本発明の実施形態に係る封筒部付き冊子状フォームの斜視図、図２は、図１のＡ−Ａ線断面図、図３は、本発明の実施形態に係る封筒部付き冊子状フォームを分解状態にした平面図である。
実施形態に係る封筒部付き冊子状フォーム１は、商品情報が記載された２枚の広告用紙２ａ，２ｂと、商品の申し込み情報を記入するための４枚の申込用紙３ａ，３ｂ，３ｃ，３ｄと、前記申込用紙を封入して郵送するための封筒部４ａを有する封筒用紙４と、が重ねられ、それらの用紙の左側の端辺に沿ってライン状に設けられた接着剤１０により、冊子状に接着一体化されている。
【００１２】
４枚の申込用紙３ａ，３ｂ，３ｃ，３ｄは、ノーカーボン複写用紙などが使用されて、記入内容が複写可能に構成されており、接着剤１０が設けられた部分から切り取れるように切り取りミシン１１が形成されている。
尚、これらの広告用紙及び申込用紙の枚数は、必要に応じて適宜変更することができる。
また、この実施形態に説明では、４枚の申込用紙３ａ，３ｂ，３ｃ，３ｄのうち、１枚の申込用紙３ｄを封筒に入れて郵送することで説明してあるが、必要に応じて複数の申込用紙を封筒に入れて郵送するようにしてもよい。
【００１３】
４枚の申込用紙３ａ，３ｂ，３ｃ，３ｄは、縦方向の幅寸法が封筒用紙４の寸法よりも狭い寸法で形成されており、申込用紙を横方向に折り畳んで封筒部４ａに封入可能な寸法を有している。
封筒用紙４は矩形状に形成されている。
そして、封筒用紙４の右側の略半分の部分には、封筒用紙４と縦寸法が略同一で、幅寸法が該封筒用紙よりも狭い寸法を有する矩形状の封筒上紙５が重ねられている。
封筒用紙４と、その封筒用紙４に重ねられた封筒上紙５とは、封筒上紙５の裏面側の三辺縁部分においてコ字状に塗布された接着剤６で接着されて左側に開口部を有する封筒部４ａが形成されている。
【００１４】
また、封筒部４ａの開口部に沿った部分には、封筒用紙４上に粘着剤層７が縦方向にライン状に設けられている。
この粘着剤層７上には、剥離紙８が剥離可能に貼付されている。
また、粘着剤層７が設けられた部分に沿って、封筒部４ａの開口部と反対側の封筒用紙４に、切り取りミシン９が形成されており、封筒用紙４から封筒部４ａだけを切り取れるようになっている。
【００１５】
また、封筒部４ａにおいて、封筒用紙４と封筒上紙５の間には、封筒部４ａの封筒内の底部から開口部側に対して間隙をあけて、底部と平行に剥離可能な接着剤で接着した接着部１２が設けられている。
図４には、封筒部４ａをわかりやすく説明するために、切り取りミシン９から封筒部４ａを切り離し、封筒用紙４から封筒上紙５を分離させた状態が示されている。
図４に示すように、封筒部４ａの封筒内の底部となる右側の縦方向に塗布された接着剤６に対して、左方向に３〜１０ｍｍ程度の間隔をあけて、剥離可能な接着剤で接着した接着部１２が、接着剤６が塗布されている部分と平行に設けられている。
【００１６】
この剥離可能な接着剤で接着した接着部１２は、縦方向にライン状またはスポット状に設けられている。
尚、図３及び図４においては、スポット状に剥離可能な接着剤で接着した接着部１２を等間隔で設けた状態が示されている。
そして、封筒部４ａの底部の近傍に、剥離可能な接着剤で接着した接着部１２が、縦方向にライン状またはスポット状に設けられていることで、開口部から封入された申込用紙が、剥離可能な接着剤で接着した接着部１２よりも底側に移動できないようにしてある。
【００１７】
この剥離可能な接着剤で接着した接着部１２で使用される接着剤としては、公知の接着剤を用いることができる。
例えば、接着部１２に用いられる剥離可能な接着剤としては、例えば、水１００重量部に対し、ワックスエマルジョンを１０〜２９０重量部、酢酸ビニルアクリル共重合体エマルジョンを１０〜２９０重量部（ワックスエマルジョンとの合計重量部が３００重量部となるように設定される）混合したものより成る。
これが活版や凹版方式で封筒用紙４に塗布される。
また、活版や凹版方式の他に、ノズル方式により封筒用紙４に塗布してもよい。
そして、接着剤が未乾燥の状態で封筒用紙４と封筒上紙５とが貼り合わされ、接着剤が乾燥すると接着する。
【００１８】
ワックスエマルジョンを構成するワックスとしては、例えば、蜜ロウ、セラッカロウ等の動物性ワックス類、カルナバロウ等の植物性ワックス類、パラフィンワックス、微晶ワックス等の石油ワックス類、ポリエチレンワックス、その他合成ワックス類等が挙げられるが、特に、乳化安定性が良く、安価であるという理由からポリエチレンワックスを使用することが好ましい。
酢酸ビニルアクリル共重合体エマルジョンは、接着力を調整するために添加されるものであり、配合比率が大きくなると接着力が強くなり、配合比率が小さくなると接着力が弱まる。
【００１９】
更に、封筒用紙４と封筒上紙５には、封筒部４ａの封筒内の底部と、剥離可能な接着剤で接着した接着部１２との間に、それぞれ封筒部４ａを開封するための切り取り線１３ａ，１３ｂが設けられている。
この切り取り線１３ａ，１３ｂは、受取人が封筒を受け取った後に、開封する際に簡単に切り取れるように切り取りミシン目として形成しておくことが好ましい。
【００２０】
次に、実施形態に係る封筒部付き冊子状フォーム１の使用方法を説明する。
図５には、封筒部４ａ内に申込用紙３ｄが封入されて、密封状態とした場合の断面図が示されており、また、図６には、封筒に申込用紙３ｄが密封された状態から取り出す場合を説明する断面図が示されている。
まず、利用者が、封筒部４ａ内に必要事項を記入した後の申込用紙３ｄを入れる場合には、封筒用紙４の切り取りミシン９から封筒部４ａを切り離した後に、封筒部４ａの左側の開封部から、折り畳んだ申込用紙３ｄを封入する。
そして、粘着剤層７上から剥離紙８を剥離させる。
【００２１】
次に、封筒用紙４の粘着剤層７が設けられている左側部分を封筒上紙５上に折り曲げて、粘着剤層７を押し付けることで密封状態した後に、郵便ポストに投函するなどして郵送させる。
そして、その封筒の受取人が、申込用紙３ｄを取り出す場合には、図６に示すように、封筒用紙４と封筒上紙５に設けられた切り取り線１３ａ，１３ｂから、用紙の一部を切り取ることで、接着部６が設けられている用紙部分を切り取る。
この切り取りにより、封筒用紙４と封筒上紙５の間において、剥離可能な接着剤で接着した接着部１２が露出する。
【００２２】
次に、封筒用紙４と封筒上紙５の間において、剥離可能な接着剤で接着した接着部１２の近傍で切り取られている右側の用紙端部から、封筒用紙４と封筒上紙５とを反対方向に引っ張ることで、剥離可能な接着剤で接着した接着部１２の接着が剥離して、開口部ができる。
そして、この開口部から申込用紙３ｄを取り出すことで、申込書類が封筒の底部を構成する２枚の用紙内に挟まることがなく、また、封筒内に複数の書類を入れた場合でも、それらの封入物の一部が封筒内に挟まっていることに気づかないまま、封筒を破棄してしまうという事故を防止することができるようにしてある。
【図面の簡単な説明】
【００２３】
【図１】本発明の実施形態に係る封筒部付き冊子状フォームの斜視図である。
【図２】図１のＡ−Ａ線断面図である。
【図３】本発明の実施形態に係る封筒部付き冊子状フォームを分解状態にした平面図である。
【図４】本発明の実施形態に係る封筒部付き冊子状フォームにおいて、封筒部の封筒用紙を封筒上紙から分離させた状態を示す平面図である。
【図５】本発明の実施形態に係る封筒部付き冊子状フォームにおいて、封筒部に申込書類を入れて封緘させた状態を示す断面図である。
【図６】本発明の実施形態に係る封筒部付き冊子状フォームにおいて、封筒部に封緘させた申込書類の取り出し方法を示す断面図である。
【符号の説明】
【００２４】
１  封筒部付き冊子状フォーム
２ａ，２ｂ  広告用紙
３ａ，３ｂ，３ｃ，３ｄ  申込用紙
４  封筒用紙
４ａ  封筒部
５  封筒上紙
６，１０  接着剤
７  粘着剤層
８  剥離紙
９，１１  切り取りミシン
１２  接着部
１３ａ，１３ｂ  切り取り線
【図１】
2010017921.tif 000003
【図２】
2010017921.tif 000004
【図３】
2010017921.tif 000005
【図４】
2010017921.tif 000006
【図５】
2010017921.tif 000007
【図６】
2010017921.tif 000008